(57)【要約】【課題】  製造上で生産性が高く、製造コストが安く、またユーザーが使用する上で、手間がかからず、使いやすく、破れたごみや削りカスが発生しないインスタントくじを提供することを目的とする。【解決手段】  １枚目用紙２と２枚目用紙５とが接着部を介して、貼り合わせられて、接着されたインスタントくじ１において、該接着部が弱接着部３と中接着部４の相互に剥離強度の異なる接着部を区分けして設けられ、該弱接着部３は剥離可能な剥離強度を有し、該中接着部４は弱接着部３よりも剥離強度が大きいが、剥離は可能であり、インスタントくじの弱接着部の箇所で折り曲げると、該折り曲げ部分６で剥離して、１枚目用紙と２枚目用紙とが分離し、くじ情報７を認識できる。【選択図】      図１
2008068403.tif 000002
【特許請求の範囲】
【請求項１】
１枚目用紙と２枚目用紙とが接着部を介して、貼り合わせられて、接着されたインスタントくじにおいて、該接着部が弱接着部と中接着部の相互に剥離強度の異なる接着部を区分けして設けられ、該弱接着部は剥離可能な剥離強度を有し、該中接着部は弱接着部よりも剥離強度が大きいが、剥離は可能であり、インスタントくじの弱接着部の箇所で折り曲げると、該折り曲げ部分で剥離して、１枚目用紙と２枚目用紙とが分離し、くじ情報を認識できることを特徴とするインスタントくじ。
【請求項２】
前記の弱接着部の剥離強度が１ｇｆ／２５ｍｍ以上２０ｇｆ／２５ｍｍ未満であることを特徴とする請求項１に記載のインスタントくじ。
【請求項３】
前記の中接着部の剥離強度が２０ｇｆ／２５ｍｍ以上２００ｇｆ／２５ｍｍ未満であることを特徴とする請求項１に記載のインスタントくじ。
【請求項４】
請求項１に記載のインスタントくじにおいて、接着部が弱接着部と中接着部の相互に剥離強度の異なる接着部を区分けして設けられ、かつ接着部が設けられていない部分を有することを特徴とするインスタントくじ。
【発明の詳細な説明】
【技術分野】
【０００１】
本発明はインスタントくじに関し、特に開封部を折り曲げると接着部が剥離しやすく、異なる接着力をもつ接着部を複数有し、製造上で生産性が高く、また製造コストが安く、ユーザーが使用する上で、手間がかからず、使いやすく、破れたごみや削りカスが発生しないインスタントくじに関するものである。
【背景技術】
【０００２】
短期キャンペーン用販促ツールとして、インスタントくじが利用されている。インスタントくじはその場で当たり・はずれが分かるために人気がある。コイン等で銀色の隠蔽部分を削るスクラッチタイプや、ミシン目を破って開封するタイプ等がある。
隠蔽部分を削るスクラッチタイプのインスタントくじは、隠蔽性を上げるためにアルミニウム等の銀インキを厚く塗る必要があり、コストがかかる。また、コイン等の道具を必要とし削りカスが出るため、食品を扱う店舗では衛生上好ましくない。そこで、特許文献１にしめすような、コストが安く道具を必要とせずに当たり・はずれが分かり、生産性が高く、短納期に対応できるインスタントくじが利用されている。
【０００３】
上記の生産性が高いインスタントくじは、多面付けで印刷、丁合、断裁が可能なタイプである。このタイプは、断裁精度を上げるために（断裁でフラットになるように）、１枚目と２枚目の大きさを等しくしている。開封は、用紙にミシン加工やハーフカットを施して、その部分をきっかけに行うが、その場合、用紙強度によっては開封不良を起こしたり、印刷ロールを大きく巻けないことがある。また、ミシン刃やハーフカット用刃型は消耗品でありコストが、かかってしまう。
【特許文献１】特開平８−１４２５５９号公報
【発明の開示】
【発明が解決しようとする課題】
【０００４】
そこで、本発明は、製造上で生産性が高く、製造コストが安く、またユーザーが使用する上で、手間がかからず、使いやすく、破れたごみや削りカスが発生しないインスタントくじを提供することを目的とする。
【課題を解決するための手段】
【０００５】
以上の状況を鑑み、鋭意研究開発を進め、本発明に到った。すなわち、請求項１に記載の発明は、１枚目用紙と２枚目用紙とが接着部を介して、貼り合わせられて、接着されたインスタントくじにおいて、該接着部が弱接着部と中接着部の相互に剥離強度の異なる接着部を区分けして設けられ、該弱接着部は剥離可能な剥離強度を有し、該中接着部は弱接着部よりも剥離強度が大きいが、剥離は可能であり、インスタントくじの弱接着部の箇所で折り曲げると、該折り曲げ部分で剥離して、１枚目用紙と２枚目用紙とが分離し、くじ情報を認識できることを特徴とする。
【０００６】
請求項２に記載の発明は、請求項１に記載の弱接着部の剥離強度が１ｇｆ／２５ｍｍ以上２０ｇｆ／２５ｍｍ未満であることを特徴とする。請求項３に記載の発明は、請求項１に記載の中接着部の剥離強度が２０ｇｆ／２５ｍｍ以上２００ｇｆ／２５ｍｍ未満であることを特徴とする。
【０００７】
請求項４に記載の発明は、請求項１に記載のインスタントくじにおいて、接着部が弱接着部と中接着部の相互に剥離強度の異なる接着部を区分けして設けられ、かつ接着部が設けられていない部分を有することを特徴とする。
【発明の効果】
【０００８】
本発明のインスタントくじは、１枚目用紙と２枚目用紙とが接着部を介して、貼り合わせられて、接着された構成において、該接着部が弱接着部と中接着部の相互に剥離強度の異なる接着部を区分けして設けられ、該弱接着部は剥離可能な剥離強度を有し、該中接着部は弱接着部よりも剥離強度が大きいが、剥離は可能であり、インスタントくじの弱接着部の箇所で折り曲げると、該折り曲げ部分で剥離して、１枚目用紙と２枚目用紙とが分離し、くじ情報を認識できるものである。これにより、生産性が高くインスタントくじを製造でき、製造コストが安く、またユーザーが使用する上で、簡単に１枚目用紙と２枚目用紙とを剥離でき、隠蔽されていたくじ情報を簡単に認識でき、手間がかからず、使いやすいものであった。さらに、その際に破れたごみや削りカスが発生しないものであった。
【０００９】
また、本発明のインスタントくじは、接着部が弱接着部と中接着部の相互に剥離強度の異なる接着部を区分けして設けられ、かつ接着部が設けられていない部分を有することが好ましい。接着部が設けられていない部分、すなわち糊抜き部を設けることで、インスタントくじの弱接着部の箇所で折り曲げた際に、該折り曲げ部分で、１枚目用紙と２枚目用紙とがより剥離しやすくなり、実用性の高いものとなる。
【発明を実施するための最良の形態】
【００１０】
本発明を図１、図２に示す最良の実施の形態に基づいて、詳細に説明する。
図１は、本発明のインスタントくじの一つの実施形態を示す概略断面図であり、図１（ａ）では、１枚目用紙２と２枚目用紙５とが接着部を介して、貼り合わせられて、接着されたインスタントくじ１において、該接着部が弱接着部３と中接着部４の相互に剥離強度の異なる接着部を区分けして設けられた構成が示され、折り曲げて１枚目用紙２と２枚目用紙５とを剥離する前の状態である。そして、１枚目用紙２の中接着部４と接する側に、くじ情報７が印刷等で設けられていて、該くじ情報７は、１枚目用紙２と２枚目用紙５と中接着部４により、隠蔽されている。
【００１１】
図１（ｂ）では、インスタントくじ１の弱接着部３の箇所で折り曲げると、該折り曲げ部分６で、１枚目用紙と２枚目用紙とが剥離したことを示すものである。また、図１（ｃ）では、図１（ｂ）で１枚目用紙と２枚目用紙とが剥離した状態から、さらに剥離を進めて、１枚目用紙２と２枚目用紙５とが分離し、くじ情報７が露出して、認識できる状態になったことを示すものである。尚、図１では、くじ情報７が１枚目用紙２に設けられているが、これに限らず、２枚目用紙の中接着部４と接する側に、くじ情報７を設けることも可能である。但し、１枚目用紙と２枚目用紙とが剥離した時に、中接着部４を構成する接着剤が２枚目用紙側に残存する場合、該接着剤は下に位置するくじ情報を認識できるように、透明性を有するものが好ましい。
【００１２】
図２は、本発明のインスタントくじの他の実施形態を示す概略平面図であり、１枚目用紙と２枚目用紙とが接着部を介して、貼り合わせられて、接着されたインスタントくじ１において、該接着部が弱接着部３と中接着部４の相互に剥離強度の異なる接着部を区分けして設けられ、かつ接着部が設けられていない部分８を有する構成である。図２では、６で示される線の位置で、１枚目用紙と２枚目用紙とが接着部を介して、貼り合わせられ形態で折り曲げられる。この折り曲げ部分６には、接着部が設けられていない部分８が含まれおり、弱接着部３の位置で、１枚目用紙と２枚目用紙とが剥離するだけでなく、接着部が設けられていない部分８は、始めから１枚目用紙と２枚目用紙とは接着しておらず、分離しているので、１枚目用紙と２枚目用紙とがより剥離しやすくものとなっている。但し、折り曲げる操作をしないで、インスタントくじを取り扱っている際に、誤って、１枚目用紙と２枚目用紙とが剥離しないように、端部に中接着部４を間欠して設けたものである。
【００１３】
以下、本発明のインスタントくじを構成する要素について、説明する。
（１枚目用紙、２枚目用紙）
１枚目用紙、２枚目用紙は、上質紙、アート紙、コート紙、キャストコート紙、合成樹脂又はエマルジョン含浸紙、合成ゴムラテックス含浸紙、合成樹脂内添紙、セルロース繊維紙等を使用することができる。また、上記の紙を原料にしたものでなく、ポリエステル樹脂、ポリエチレン樹脂、ポリプロピレン樹脂、ポリスチレン樹脂、アクリル樹脂等に、白色顔料や充填剤を加えて成膜した白色フィルム、あるいは上記の合成樹脂からなる基材シート内部にミクロボイドを有するシート等も用いられる。但し、くじ情報を隠蔽しやすくために、不透明性の高いものが好ましい。これらの１枚目用紙、２枚目用紙の厚みは、通常３〜３００μｍ程度であり、本発明においては、取扱い適性等を考慮し、２０〜１７５μｍ程度のものを用いるのが好ましい。
【００１４】
（弱接着部、中接着部）
弱接着部３は、１枚目用紙と２枚目用紙とが剥離可能な剥離強度を有する接着剤を塗工することで、形成される。また、中接着部４は、弱接着部よりも剥離強度が大きいが、１枚目用紙と２枚目用紙との剥離は可能となる接着剤を塗工することで、形成される。弱接着部と中接着部の剥離強度が異なるようにするには、例えば、同一の接着剤を塗工して、弱接着部の領域に、接着力抑制手段を施すことが挙げられるが、これに限らず、使用する接着剤自体を接着力の異なるものを使用したりすることができる。
【００１５】
本発明では、１枚目用紙と２枚目用紙とを接着する弱接着部の剥離強度は１ｇｆ／２５ｍｍ以上２０ｇｆ／２５ｍｍ未満であることが好ましく、また１枚目用紙と２枚目用紙とを接着する中接着部の剥離強度は２０ｇｆ／２５ｍｍ以上２００ｇｆ／２５ｍｍ未満であることが望ましい。これにより、折り曲げる操作をしないで、インスタントくじの取扱い中、誤って、１枚目用紙と２枚目用紙とが剥離せず、インスタントくじの弱接着部の箇所で折り曲げることで、該折り曲げ部分で、１枚目用紙と２枚目用紙とが剥離して、実用性の高いものとなる。
【００１６】
上記の弱接着部の剥離強度が１ｇｆ／２５ｍｍ未満であると、折り曲げる操作をしないで、インスタントくじの取扱い中に、誤って、１枚目用紙と２枚目用紙とが剥離してしまう。また、弱接着部の剥離強度が２０ｇｆ／２５ｍｍ以上になると、その弱接着部の箇所で折り曲げた時に、該折り曲げ部分で、１枚目用紙と２枚目用紙とが剥離しにくい問題がある。また、中接着部の剥離強度が２０ｇｆ／２５ｍｍ未満であると、上記の弱接着部との剥離強度の差が無くなってしまう。さらに、中接着部の剥離強度が２００ｇｆ／２５ｍｍ以上になると、１枚目用紙と２枚目用紙との接着が強すぎてしまい、１枚目用紙と２枚目用紙との剥離が困難となってしまう。
【００１７】
本発明における剥離強度の規定については、全てＪＩＳ  Ｋ６８５４に規定する剥離接着強度試験方法に基づいて、Ｔ型剥離強度を、測定したものである。具体的な測定機器は、ＯＲＩＥＮＴＥＣ製ＴＥＮＳＩＬＯＮ  ＲＴＡ−１００を使用した。
【００１８】
（折り曲げ部分）
本発明で規定する折り曲げ部分６は、インスタントくじの弱接着部の箇所で折り曲げる部分のことである。この折り曲げ部分を、インスタントくじのくじ情報を認識する対象の人に、明確に示すために、１枚目用紙や２枚目用紙の所定の位置に、予め点線等のパターンで印刷したり、ミシン目加工を施したりしておくことが望ましい。
【００１９】
（くじ情報）
本発明のインスタントくじにおけるくじ情報は、例えば、「当たり」、「外れ」の文字や、「一等」、「二等」などの当選区分、あるいは当選した商品の具体名「テレビ」等を表示させることができる。
【００２０】
上記のくじ情報とは別に、１枚目用紙の表面（接着部と接する側と反対側）や、２枚目用紙の表面（接着部と接する側と反対側）に、例えば対象とするキャンペーンの説明等を印刷したり、あるいは可変情報をプリンターで印字したりすることが可能である。
【００２１】
（接着部が設けられていない部分）
本発明のインスタントくじにおいて、接着部が弱接着部と中接着部の相互に剥離強度の異なる接着部を区分けして設け、かつ接着部が設けられていない部分８を有することができる。この接着部が設けられていない部分８は、上記に説明した弱接着部と中接着部が設けられていない部分であり、１枚目用紙と２枚目用紙が重なった状態では、双方の用紙は全く接着していない部分である。
【図面の簡単な説明】
【００２２】
【図１】本発明のインスタントくじの一つの実施形態を示す概略断面図である。
【図２】本発明のインスタントくじの他の実施形態を示す概略平面図である。
【符号の説明】
【００２３】
１      インスタントくじ
２      １枚目用紙
３      弱接着部
４      中接着部
５      ２枚目用紙
６      折り曲げ部分
７      くじ情報
８      接着部が設けられていない部分
【図１】
2008068403.tif 000003
【図２】
2008068403.tif 000004